(57)【要約】【課題】  比較的簡単な制御でもって無駄なく効果的に運転制御することができる床暖房システムを提供すること。【解決手段】  床暖房パネルと、温水を生成する熱源機４と、熱源機４からの温水を床暖房パネルに導く温水往きラインと、床暖房パネルからの温水を熱源機４に導く温水戻しラインと、熱源機４を作動制御するためのコントローラ３６とを具備する床暖房システム。熱源機４は、第１所定温度の温水を生成する第１作動状態と、第２所定温度の温水を生成する第２作動状態に運転可能に構成され、コントローラは運転開始時に熱源機４を第２作動状態で運転する。床暖房パネルに関連して、更に、室温を検知するための室温検知センサ３２が設けられ、コントローラ３６は、システムの運転開始時の室温検知センサ３２の検知温度に基づいて熱源機４の第２作動状態の作動時間割合を変動させる。【選択図】  図２
2008025970.tif 000002
【特許請求の範囲】
【請求項１】
温水が流れる放熱チューブを備えた床暖房パネルと、温水を生成する熱源機と、前記熱源機からの温水を前記放熱チューブに導く温水往きラインと、前記放熱チューブからの温水を熱源機に導く温水戻しラインと、前記熱源機を作動制御するためのコントローラと、を具備する床暖房システムであって、
前記熱源機は、第１所定温度の温水を生成する第１作動状態と、前記第１所定温度よりも高温である第２所定温度の温水を生成する第２作動状態に運転可能に構成され、前記コントローラは運転開始時に前記熱源機を前記第２作動状態で運転するように構成されており、
更に、前記床暖房パネルに関連して、周囲の温度を検知するための温度検知センサが設けられ、前記コントローラは、システムの運転開始時の前記温度検知センサの検知温度に基づいて前記熱源機の前記第２作動状態の作動時間割合を変動させることを特徴とする床暖房システム。
【請求項２】
前記温度検知センサは前記床暖房パネルが設置された家屋の室温を検知し、前記コントローラは、前記温度検知センサの検知温度に基づき、検知温度が低いときには前記第２作動状態の作動時間割合が大きくなるように、またこの検知温度が高いときには前記第２作動状態の作動時間割合が小さくなるように前記熱源機を運転することを特徴とする請求項１に記載の床暖房システム。
【請求項３】
温水が流れる放熱チューブを備えた床暖房パネルと、温水を生成する熱源機と、前記熱源機からの温水を前記放熱チューブに導く温水往きラインと、前記放熱チューブからの温水を熱源機に導く温水戻しラインと、前記熱源機を作動制御するためのコントローラと、を具備する床暖房システムであって、
前記熱源機は、第１所定温度の温水を生成する第１作動状態と、前記第１所定温度よりも高温である第２所定温度の温水を生成する第２作動状態に運転可能に構成され、前記コントローラは稼動運転開始時に前記熱源機を前記第２作動状態で運転するように構成されており、
更に、前記コントローラは、システムの稼動運転終了後の停止時間を計時する計時手段を備え、前記計時手段の計時時間に基づいて前記熱源機の前記第２作動状態の作動時間割合を変動させることを特徴とする床暖房システム。
【請求項４】
前記コントローラは、前記計時手段の計時時間に基づき、計時時間が長いときには前記第２作動状態の作動時間割合が大きくなるように、またこの計時時間が短いときには前記第２作動状態の作動時間割合が小さくなるように前記熱源機を運転することを特徴とする請求項３に記載の床暖房システム。
【発明の詳細な説明】
【技術分野】
【０００１】
本発明は、熱源機にて生成された温水を利用して床面を暖める床暖房システムに関する。
【背景技術】
【０００２】
従来から、室内を暖房する暖房システムの一つとして、床暖房システムが広く実用に供されている。この床暖房システムは、室内の床面に設置される床暖房パネルと、温水を生成する熱源機と、熱源機からの温水を床暖房パネルの放熱チューブに導く温水往きラインと、この放熱チューブからの温水を熱源機に戻す温水戻しラインとを備えている。この種の床暖房システムでは、温水を利用して床面を暖めて暖房感を得るものであり、それ故に、細かな室内温度制御を求められることが少なく、室内温度や温水温度などの温度検知手段を備えず、使用者の体感により床面温度を設定するようにした手動の温度設定装置が多く採用されている。
【０００３】
このような温度設定装置を採用した床暖房システムにおいても、運転開始時の立上げ初期においては、短い時間でもって暖房感が得られるように、定常運転時よりも多くの熱量が必要となり、このようなことから、立上げ初期の一定時間（運転開始から例えば６０分の間）、定常運転時よりも高い温度（例えば、８０℃）の温水が床暖房パネルに供給されるように構成されている。一方、近年の設置居室の高気密化、高断熱化に伴い、立上げ初期の一定期間にわたって高温水を床暖房パネルに供給すると、床温度が上昇しすぎるという問題がある。このような問題は、床暖房システムを使用する季節によっても生じる。
【０００４】
このようなことから、運転開始時の立上げ初期における床面の温度を制御して無駄のない高い効率の立ち上がり運転を行うようにした床暖房システムも提案されている（例えば、特許文献１参照）。この床暖房システムでは、床暖房パネルの表面温度を検知する床面温度検知センサが設けられ、この床面温度検知センサの検知温度が記憶手段に時系列的に記憶され、演算手段は記憶手段に記憶された床面温度と熱源機の消費熱量から運転開始の立上げ初期における「暖まりやすさ指数」を演算し、この「暖まりやすさ指数」に基づいて熱源機を運転制御するように構成されている。
【０００５】
【特許文献１】特開平８−３０３７９８号公報
【発明の開示】
【発明が解決しようとする課題】
【０００６】
しかしながら、上述した床暖房システムでは、床面温度検知センサの検知温度と熱源機の消費熱量から「暖まりやすさ指数」を演算し、この「暖まりやすさ指数」を用いて熱源機を運転制御するので、その演算制御が複雑となる問題がある。
【０００７】
一方、この種の床暖房システムでは、上述したように、床表面を暖めることで暖房感を得るものであるために、細かな暖房制御を行っても使用者が実際にその制御を体感することは少なく、このようなことから、熱源機を比較的複雑に細かに運転制御しても無駄となることが多い。また、床暖房システムの運転中に室温や床面温度の値を用いて運転制御を行おうとしても、床暖房システムに速応性が乏しいため、所定温度に制御することが難しい。さらには、通常床暖房パネルは床全面に敷設しないために、室温センサの位置によっては、床暖房パネル上の室温を計測できず、まちがった室温に基づいた運転制御を行うことになって、不都合が生じる恐れがある。
【０００８】
本発明の目的は、比較的簡単な制御でもって無駄なく効果的に運転制御することができる床暖房システムを提供することである。
【課題を解決するための手段】
【０００９】
本発明の請求項１に記載の床暖房システムは、温水が流れる放熱チューブを備えた床暖房パネルと、温水を生成する熱源機と、前記熱源機からの温水を前記放熱チューブに導く温水往きラインと、前記放熱チューブからの温水を熱源機に導く温水戻しラインと、前記熱源機を作動制御するためのコントローラと、を具備する床暖房システムであって、
前記熱源機は、第１所定温度の温水を生成する第１作動状態と、前記第１所定温度よりも高温である第２所定温度の温水を生成する第２作動状態に運転可能に構成され、前記コントローラは運転開始時に前記熱源機を前記第２作動状態で運転するように構成されており、
更に、前記床暖房パネルに関連して、周囲の温度を検知するための温度検知センサが設けられ、前記コントローラは、システムの運転開始時の前記温度検知センサの検知温度に基づいて前記熱源機の前記第２作動状態の作動時間割合を変動させることを特徴とする。
【００１０】
また、本発明の請求項２に記載の床暖房システムでは、前記温度検知センサは前記床暖房パネルが設置された家屋の室温を検知し、前記コントローラは、前記温度検知センサの検知温度に基づき、検知温度が低いときには前記第２作動状態の作動時間割合が大きくなるように、またこの検知温度が高いときには前記第２作動状態の作動時間割合が小さくなるように前記熱源機を運転することを特徴とする。
【００１１】
また、本発明の請求項３に記載の床暖房システムは、温水が流れる放熱チューブを備えた床暖房パネルと、温水を生成する熱源機と、前記熱源機からの温水を前記放熱チューブに導く温水往きラインと、前記放熱チューブからの温水を熱源機に導く温水戻しラインと、前記熱源機を作動制御するためのコントローラと、を具備する床暖房システムであって、
前記熱源機は、第１所定温度の温水を生成する第１作動状態と、前記第１所定温度よりも高温である第２所定温度の温水を生成する第２作動状態に運転可能に構成され、前記コントローラは稼動運転開始時に前記熱源機を前記第２作動状態で運転するように構成されており、
更に、前記コントローラは、システムの稼動運転終了後の停止時間を計時する計時手段を備え、前記計時手段の計時時間に基づいて前記熱源機の前記第２作動状態の作動時間割合を変動させることを特徴とする。
【００１２】
更に、本発明の請求項４に記載の床暖房システムでは、前記コントローラは、前記計時手段の計時時間に基づき、計時時間が長いときには前記第２作動状態の作動時間割合が大きくなるように、またこの計時時間が短いときには前記第２作動状態の作動時間割合が小さくなるように前記熱源機を運転することを特徴とする。
【発明の効果】
【００１３】
本発明の請求項１に記載の床暖房システムによれば、温水を生成する熱源機は、第１の所定温度、例えば約６０℃の温水を生成する第１作動状態と、第２の所定温度、例えば約８０℃の温水を生成する第２作動状態に運転可能であり、運転開始時には第２作動状態で運転される。従って、運転開始時の立上げ初期においては第２の所定温度の温水が床暖房パネルに送給され、多くの熱量が床暖房パネルを介して床面に伝達され、床面を効率よく暖めることができる。また、コントローラは、周囲の温度を検知する温度検知センサの運転開始時の検知温度に基づいて熱源機の作動時間割合を変動させるので、熱源機を制御するための演算が簡単であるとともに、このような簡単な演算制御でもって熱源機の無駄な運転をなくし、床面の温度が過剰に上昇するのを抑えることができる。尚、周囲温度とは、例えば、床暖房パネルが設置される室内温度、床暖房パネルが設置される家屋の適宜の場所（例えば、給湯装置の制御装置が設置される場所、防犯装置が設置される場所、空調装置の制御装置が設置される場所など）の温度などである。
【００１４】
また、本発明の請求項２に記載の床暖房システムによれば、温度検知センサの検知温度が低い（即ち、周囲温度が低くて寒い）ときには、熱源機の第２作動状態の作動時間割合が大きくなるので、多くの熱量が床暖房パネルを介して床面に伝達され、これによって、床面の温度上昇を早めることができる。また、温度検知センサの検知温度が高い（即ち、周囲温度があまり低くなくって寒くない）ときには、熱源機の第２作動状態の作動時間割合が小さくなるので、多くの熱量が床暖房パネルを介して床面に伝達されることがなく、床面の温度が過剰に上昇するのを抑えることができる。
【００１５】
また、本発明の請求項３に記載の床暖房システムによれば、温水を生成する熱源機は、第１作動状態と第２作動状態に運転可能で、運転開始時には第２作動状態で運転されるので、運転開始時の立上げ初期においては多くの熱量が床暖房パネルを介して床面に伝達され、床面を効率よく暖めることができる。また、コントローラは、システムの稼働運転終了後の停止時間を計時する計時手段の計時時間に基づいて熱源機の作動時間割合を変動させるので、熱源機の無駄な運転をなくし、床面の温度が過剰に上昇するのを抑えることができる。
【００１６】
また、本発明の請求項４に記載の床暖房システムによれば、計時手段の計時時間が長い（即ち、床面の暖房を終了した後の経過時間が長くて床面が冷えている）ときには、熱源機の第２作動状態の作動時間割合が大きくなるので、多くの熱量が床暖房パネルを介して床面に伝達され、これによって、床面の温度上昇を早めることができる。また、計時手段の計時時間が短い（即ち、床面の暖房を終了した後の経過時間が短くて床面が冷えていない）ときには、熱源機の第２作動状態の作動時間割合が小さくなるので、多くの熱量が床暖房パネルを介して床面に伝達されることがなく、床面の温度が過剰に上昇するのを抑えることができる。
【発明を実施するための最良の形態】
【００１７】
以下、添付図面を参照して、本発明に従う床暖房システムの実施形態について説明する。まず、図１〜図４を参照して、本発明に従う床暖房システムの第１の実施形態について説明する。図１は、第１の実施形態の床暖房システムを示す簡略図であり、図２は、図１の床暖房システムの制御系を示すブロック図であり、図３は、図２の制御系における初期室温と熱源機の動作パターンとの関係を示す図であり、図４は、図３の動作パターン２における熱源機の運転パターンを示す図である。
【００１８】
図１において、図示の床暖房システムは、床１を暖房するために用いられる床暖房パネル２と、温水を生成するための熱源機４とを備えている。床暖房パネル２は、一戸建て住宅、集合住宅などの居室の暖房すべき床１に設置される。この床暖房パネル２は放熱チューブ６が内蔵され、放熱チューブ６の一端側が流入部８に接続され、その他端側が流出部１０に接続されている。
【００１９】
熱源機４は燃焼バーナ１２を備え、この燃焼バーナ１２に供給流路１４を通して燃料用ガスが供給される。供給流路１４には流路開閉弁１６及び流量制御弁１８が配設され、流路開閉弁１６は供給流路１４を開閉して燃料用ガスの供給、供給停止を行い、また流量制御弁１８は供給流路を流れる燃料用ガスの供給量を制御する。このように構成されているので、供給流路１４を通して供給される燃料用ガスは燃焼バーナ１２にて燃焼され、この燃焼ガスの熱を利用して温水が生成される
この熱源機４の供給部２０が温水往きライン２２を介して床暖房パネル２の流入部８に接続され、またその戻り部２４が温水戻しライン２６を介して床暖房パネル２の流出部１０に接続されている。また、熱源機４には、供給部２０に関連して、温水を循環させるための循環ポンプ２８が内蔵されている。従って、循環ポンプ２８が作動すると、熱源機４にて生成された温水は、温水往きライン２２、床暖房パネル２の放熱チューブ６及び温水戻りライン２６を通して循環される。尚、温水往きライン２２及び温水戻しライン２６は適宜の配管から構成される。
【００２０】
この実施形態では、熱源機４は、第１の所定温度の温水を生成する第１作動状態と、この第１の所定温度よりも高い第２の所定温度の温水を生成する第２作動状態に稼働運転可能に構成され、床暖房システムの運転開始時の立上げ初期の所定時間においては第２作動状態で運転されるように構成されている。第１の所定温度は、５５〜６０℃程度の適宜の温度、例えば６０℃に設定され、第２の所定温度は、７５〜８０℃程度の適宜の温度、例えば８０℃に設定される。また、運転開始時の立上げ初期の所定時間は、４０〜７０分程度の適宜の時間、例えば６０分に設定される。
【００２１】
図２をも参照して、この床暖房システムでは、熱源機４から供給される温水の温度を検知するための水温検知センサ３０と、周囲の温度を検知するための温度検知センサとしての室温検知センサ３２とが設けられている。水温検知センサ３０は熱源機４の供給部２０の近傍に配設され、また室温検知センサ３２は床暖房パネル２が設置された居室の壁面に取り付けられた操作制御装置３４に内蔵されている。操作制御装置３４は、床暖房システムを作動制御するためのコントローラ３６を備え、水温検知センサ３０及び温度検知センサ３２からの検知信号はコントローラ３６に送給される。
【００２２】
操作制御装置３４は、更に、床暖房システムの運転を入力設定するための操作入力手段３８を備えている。この操作入力手段３８は、床暖房システムを運転、運転停止するための運転スイッチ、暖房の暖かさを設定するための暖房設定スイッチなどを含んでおり、この操作入力手段３０からの操作入力信号もコントローラ３６に送給される。
【００２３】
コントローラ３６は、温度判定手段４２、動作パターン選定手段４４、水温設定手段４６及び制御手段４８を備えている。温度判定手段４２は室温検知センサ３２からの検知温度に基づいて温度状態を判定し、この実施形態では図３に示すように判定する。この実施形態では、床暖房システムの運転開始時の室内温度、即ち運転立上げ時の室温が利用され、温度判定手段４２は、この室温が１０℃未満のときには温度レベル「１」と判定し、室温が１０℃以上、１４℃未満のときには温度レベル「２」と判定し、室温が１４℃以上、１８℃未満のときには温度レベル「３」と判定し、また室温が１８℃以上のときには温度レベル「４」と判定する（図３参照）。
【００２４】
また、動作パターン選定手段４４は、温度判定手段４２の判定結果に基づいて図３に示すように熱源機４の動作パターンを選定する。即ち、温度判定手段４２が例えば温度レベル「１」（又は「２」、「３」、「４」）と判定したときには、動作パターン選定手段４４は、熱源機４の動作パターンとしてパターン「１」（又は「２」、「３」、「４」）を選定する。この実施形態では、システムの運転開始時の立上げ初期の所定時間（例えば６０分）においては、熱源機４は第２作動状態で運転されるように構成されており、動作パターンは、この第２作動状態で運転される熱源機４の作動時間割合（換言すると、温水供給時間割合）を設定している。室温検知センサ３２の検知温度が低いときには、周囲温度が低くて大きな熱量で早く暖める必要がある故に、熱源機４の第２作動状態の作動時間割合（即ち、立上げ初期の所定時間のうち熱源機４が作動される時間割合）が大きくなるように、またこの検知温度が高いときには、周囲温度が高くて大きな熱量で暖める必要がなく、また大きな熱量で暖めると床面温度が過剰に上昇するおそれがある故に、熱源機４の第２作動状態の作動時間割合が小さくなるように設定される。
【００２５】
この実施形態では、図３に示すように、室温検知センサ３２の検知温度が温度レベル「１」（又は「２」、「３」、「４」）のときには、動作パターンとしてパターン「１」（又は「２」、「３」、「４」）が選択され、このパターン「１」（又は「２」、「３」、「４」）においては、運転開始時の立上げ初期の所定時間、例えば６０分のうちの１００％（又は６０％、３０％、０％）の時間割合でもって、換言すると６０分のうちの６０分（又は、３６分、１８分、０分）、熱源機４が作動されて床暖房パネル２に温水が送給される。
【００２６】
また、例えば、パターン２が設定されたときには、熱源機４は図４に示すように作動運転される。この実施形態では、運転開始時の立上げ初期における所定時間が複数に、例えば１０分毎に分割され、これら分割時間において作動運転の時間割合が６０％となるように、即ち各分割時間の開始から６分間にわたって熱源機４が第２作動状態で作動され、残りの４分間にわたって熱源機４が作動停止されるように構成される。尚、各パターン１〜４における動作パターン、例えば分割時間、熱源機４の作動時間などについても適宜設定することができる。
【００２７】
上述したコントローラ３６は、更に、第１メモリ手段５０、第２メモリ手段５２及び計時手段５４を含んでいる。第１メモリ手段５０には、図３に示す情報、この実施形態では運転開始時の室温と温度レベルとの関係、またこの温度レベルと動作パターンとの関係、更には動作パターンの各パターン１〜４における熱源機４の作動パターンが記憶されるとともに、運転開始時の立上げ初期の所定時間が記憶され、かかる情報を用いて後述するように熱源機４が作動される。第２メモリ手段５２には室温検知センサ３２の検知温度などが一時的に記憶される。また、計時手段５４は時刻を計時し、立上げ初期の所定時間などを計時する。
【００２８】
この床暖房システムの運転開始時の制御は、次のようにして行われる。操作入力手段３８を入力操作して床暖房システムの運転を開始すると、この運転開始時における室温検知センサ３２の検知温度に基づいて、第２作動状態で運転される熱源機４の操作パターンが設定される。例えば、室温検知センサ３２の検知温度が例えば１２℃であるときには、コントローラ３６の温度判定手段４２は温度レベル「２」と判定し、動作パターン選定手段４４は、温度判定手段４２の判定結果に基づいて動作パターンとしてパターン２を選定し、熱源機４は選定されたパターン２に基づいて、即ち図４に示すように作動運転され、立上げ初期の所定時間においては作動時間割合が６０％となるように作動制御される。
【００２９】
熱源機４が作動すると、燃焼バーナ１２が燃焼されるとともに、循環ポンプ２８が作動され、熱源機４にて生成された第２所定温度（例えば８０℃）の温水が温水往きライン２２を通して床暖房パネル２に供給され、この温水が放熱チューブ６を通して流れる間に、温水からの熱が放熱チューブ６を介して床面に伝達され、この熱を利用して床面が暖められて暖房される。放熱チューブ６を流れた温水は、温水戻りライン２６を通して熱源機４に戻され、この熱源機４にて再び第２所定温度に加熱された後に床暖房パネル２に供給され、このようにして熱源機４からの温水の熱を利用して床面が暖められる。
【００３０】
立上げ初期の所定時間経過後は、水温設定手段４６によって、熱源機４にて生成される温水の温度が第２の所定温度（例えば、８０℃）から第１の所定温度（例えば、６０℃）に切り換えられ、第１の所定温度の温水が熱源機４から温水往きライン２２を通して床暖房パネル２に送給され、かかる温水の熱でもって、操作入力手段３８によって入力設定された暖房状態となるように床面が暖められる。
【００３１】
上述した実施形態では、温度検知センサとして床暖房パネル２が設置された室温の温度を検知する室温検知センサ３２を用いているが、必ずしもこのような室温検知センサ３２を用いる必要はなく、床暖房システムが設定される家屋の適宜の場所の温度を検知するものでよく、例えば給湯装置（又は空調装置など）の制御装置と操作制御装置３４とをキッチンに設置し、キッチンの室温を検知するようにしてもよく、床暖房パネル２の設置された周囲の温度状態を検知するものであればよい。
【００３２】
上述した実施形態では、室内の温度に基づいて熱源機４の動作パターンのパターンを選定しているが、このような構成に代えて、床暖房システムの運転終了後の停止時間に基づいて熱源機４の動作パターンのパターンを選定するようにしてもよい。図５は、第２の実施形態の床暖房システムの制御系におけるシステムの停止時間と熱源機の動作パターンとの関係を示す図である。
【００３３】
図５において、この第２の実施形態では、床暖房システムの停止時間、即ち停止後の経過時間に基づいて熱源機の動作パターンを選定するように構成され、このことに関連して、コントローラは、温度判定手段に代えて時間判定手段（図示せず）が設けられ、また動作パターン選定手段（図示せず）はシステムの停止時間に基づいて熱源機の動作パターンのパターンを選定し、また計時手段はシステムの作動停止後の経過時間を計時する。更に説明すると、計時手段は床暖房システムの運転停止後から計時を開始し、この床暖房システムが再び稼働運転されるまでの時間を計時し、時間判定手段は、計時手段の計時時間、即ちシステムの作動停止から再び稼働運転されるまでの経過時間に基づいて時間レベルを判定し、この停止時間が１８０分以上のときには時間レベル「１」と判定し、停止時間が９０分以上、１８０分未満のときには時間レベル「２」と判定し、停止時間が３０分以上、９０分未満のときには時間レベル「３」と判定し、また停止時間が３０分未満のときには時間レベル「４」と判定する。
【００３４】
また、動作パターン選定手段は、時間判定手段の判定結果に基づいて図５に示すように熱源機の動作パターンを選定する。即ち、時間判定手段が例えば時間レベル「１」（又は「２」、「３」、「４」）と判定したときには、動作パターン選定手段は、熱源機の動作パターンとしてパターン「１」（又は「２」、「３」、「４」）を選定し、このパターン「１」（又は「２」、「３」、「４」）における熱源機の作動制御と同様に行われる。計時手段の計時時間が長いときには、床暖房パネルに供給される温水の温度が下がっているとともに、床面温度も下がっていて、大きな熱量で早く暖める必要がある故に、熱源機の第２作動状態の作動時間割合が大きくなるように、また計時手段の計時時間が短いときには、床暖房パネルに供給される温水の温度が下がっていないとともに、床面の温度も下がってなくて、大きな熱量で暖める必要がなく、また大きな熱量で暖めると床面温度が過剰に上昇するおそれがある故に、熱源機の第２作動状態の作動時間割合が小さくなるように設定され、このように設定することによって、第１の実施形態と同様に、熱源機の無駄な運転を無くし、床面の温度が過剰に上昇するのを抑えることができる。
【００３５】
以上、本発明に従う床暖房システムの実施形態について説明したが、本発明はかかる実施形態に限定されるものではなく、本発明の範囲を逸脱することなく種々の変形乃至修正が可能である。
【００３６】
例えば、上述した第１の実施形態では、運転開始時の室温に基づいて温度レベルを４段階に、また第２の実施形態では運転停止後の経過時間に基づいて時間レベルを４段階に設定しているが、これらに限定されず、４段階よりも少なくてもよく、或いは５段階以上により細かく設定するようにしてもよい。また、この温度レベル又は時間レベルによって設定されるパターンの内容ついても、床暖房システムの暖房能力、熱源機の機種などによって適宜設定することができる。
【００３７】
また、上述した第１の実施形態では、周囲温度を利用して熱源機の動作パターンを設定し、また上述した第２の実施形態では、システムの作動停止後の停止時間を利用して熱源機の動作パターンを設定しているが、これら実施形態を組み合わせて適用する、即ち周囲温度及びシステムの作動停止後の停止時間を利用いて熱源機の動作パターンを設定するようにしてもよい。
【図面の簡単な説明】
【００３８】
【図１】第１の実施形態の床暖房システムを示す簡略図。
【図２】図１の床暖房システムの制御系を示すブロック図。
【図３】図２の制御系における初期室温と熱源機の動作パターンとの関係を示す図。
【図４】図３の動作パターン２における熱源機の運転パターンを示す図。
【図５】第２の実施形態の床暖房システムの制御系におけるシステムの停止時間と熱源機の動作パターンとの関係を示す図。
【符号の説明】
【００３９】
２  床暖房パネル
４  熱源機
６  放熱チューブ
２２  温水往きライン
２６  温水戻りライン
２８  循環ポンプ
３０  水温検知センサ
３２  室温検知センサ
３６  コントローラ
４２  温度判定手段
４４  動作パターン選定手段
【図１】
2008025970.tif 000003
【図２】
2008025970.tif 000004
【図３】
2008025970.tif 000005
【図４】
2008025970.tif 000006
【図５】
2008025970.tif 000007